(57)【要約】【課題】０次光の強度を低減することを可能にする。【解決手段】本開示の光源システムは、光を発する光源と、一方の面に形成され、光源からの光が入射する所定パターンの開口を有し、入射した光に基づいて回折光を生成する回折格子部と、一方の面に対向する他方の面における、光源からの光の入射方向から見て開口に対応する領域の少なくとも一部の領域に形成され、回折格子部で発生した０次光を低減する０次光補正部とを含む光学回折素子とを備える。【選択図】図４
2019164325.tif 000002
【特許請求の範囲】
【請求項１】
光を発する光源と、
一方の面に形成され、前記光源からの光が入射する所定パターンの開口を有し、入射した光に基づいて回折光を生成する回折格子部と、前記一方の面に対向する他方の面における、前記光源からの光の入射方向から見て前記開口に対応する領域の少なくとも一部の領域に形成され、前記回折格子部で発生した０次光を低減する０次光補正部とを含む光学回折素子と
を備える
光源システム。
【請求項２】
前記光源と前記光学回折素子との間に配置され、前記光源からの光を平行光となるように補正する補正レンズ、
をさらに備えた
請求項１に記載の光源システム。
【請求項３】
前記０次光補正部は、ＵＶ硬化樹脂によって形成されている
請求項１に記載の光源システム。
【請求項４】
前記所定パターンは、円孔状、線状、およびランダム状のうち、いずれか１つである
請求項１に記載の光源システム。
【請求項５】
前記ＵＶ硬化樹脂は、前記回折格子部を通過したＵＶ光が照射されることにより硬化されている
請求項３に記載の光源システム。
【請求項６】
前記光学回折素子は、前記回折格子部と前記０次光補正部との間に配置された基板を含む
請求項１に記載の光源システム。
【請求項７】
基板の一方の面に、遮光部材を所定のパターンで形成する工程と、
前記基板における前記一方の面に対向する他方の面に、液体のＵＶ硬化樹脂を接触させる工程と、
前記基板に、前記一方の面側からＵＶ光を照射する工程と、
前記基板における前記他方の面を洗浄する工程と
を含む
光学回折素子製造方法。
【請求項８】
前記ＵＶ光を照射する工程は、
前記他方の面に接触させた前記液体のＵＶ硬化樹脂を硬化させる工程、を含む
請求項７に記載の光学回折素子製造方法。
【請求項９】
光を発する光源と、
一方の面に形成され、前記光源からの光が入射する所定パターンの開口を有し、入射した光に基づいて回折光を生成する回折格子部と、前記一方の面に対向する他方の面における、前記光源からの光の入射方向から見て前記開口に対応する領域の少なくとも一部の領域に形成され、前記回折格子部で発生した０次光を低減する０次光補正部とを含む光学回折素子と、
前記光学回折素子から射出され、被写体に照射された前記回折光の反射光を撮像して画像データを生成する撮像部と、
前記画像データに基づいて、前記被写体までの距離を算出する距離算出部と
を備える
測距システム。
【請求項１０】
基板と、
前記基板の一方の面に形成され、光が入射する所定パターンの開口を有し、入射した光に基づいて回折光を生成する回折格子部と、
前記一方の面に対向する前記基板の他方の面における、光の入射方向から見て前記開口に対応する領域の少なくとも一部の領域に形成され、前記回折格子部で発生した０次光を低減する０次光補正部と
を含む
光学回折素子
【発明の詳細な説明】
【技術分野】
【０００１】
本開示は、光源システム、光学回折素子製造方法、および測距システム、ならびに光学回折素子に関する。
【背景技術】
【０００２】
近年、カメラ付き移動体端末装置や銀行などの電子決済処理などで、なりすましや詐欺を防止するために、測距機能を用いて顔認証等の生体認証を行う固体撮像装置、および生体認証装置が普及するようになっている。このような装置において、小型化、薄型化、および高性能化を図る手法としては、コリメート光とされた赤外光を光学回折素子（ＤＯＥ）に照射し、光学回折素子によって回折光を生成し、その回折光に基づいて、測距および生体認証を行う方法が一般的である。例えば、回折光を被写体に照射して被写体からの反射光を撮像し、画像データに変換後、反射光を解析することによって測距を行い、生体認証を行う方法が一般的である。
【先行技術文献】
【特許文献】
【０００３】
【特許文献１】特開２０１３−１９０３９４号公報
【特許文献２】特開２０１５−１１５５２７号公報
【特許文献３】特開２０１５−１３２５４６号公報
【発明の概要】
【発明が解決しようとする課題】
【０００４】
上記の装置において、光学回折素子によって回折光を生成する際には、０次光と多次光とが発生するが、０次光と多次光とでは光の強度が異なるため、反射光を撮像したときに０次光成分が正確に解析できずに測距および生体認証の精度が低下し得る。
【０００５】
０次光の強度を低減することが可能となる光源システム、および測距システム、ならびに光学回折素子を提供することが望ましい。また、０次光の強度を低減させる光学回折素子を製造することが可能な光学回折素子製造方法を提供することが望ましい。
【課題を解決するための手段】
【０００６】
本開示の一実施の形態に係る光源システムは、光を発する光源と、一方の面に形成され、光源からの光が入射する所定パターンの開口を有し、入射した光に基づいて回折光を生成する回折格子部と、一方の面に対向する他方の面における、光源からの光の入射方向から見て開口に対応する領域の少なくとも一部の領域に形成され、回折格子部で発生した０次光を低減する０次光補正部とを含む光学回折素子とを備える。
【０００７】
本開示の一実施の形態に係る光学回折素子製造方法は、基板の一方の面に、遮光部材を所定のパターンで形成する工程と、基板における一方の面に対向する他方の面に、液体のＵＶ硬化樹脂を接触させる工程と、基板に、一方の面側からＵＶ光を照射する工程と、基板における他方の面を洗浄する工程とを含む。
【０００８】
本開示の一実施の形態に係る測距システムは、光を発する光源と、一方の面に形成され、光源からの光が入射する所定パターンの開口を有し、入射した光に基づいて回折光を生成する回折格子部と、一方の面に対向する他方の面における、光源からの光の入射方向から見て開口に対応する領域の少なくとも一部の領域に形成され、回折格子部で発生した０次光を低減する０次光補正部とを含む光学回折素子と、光学回折素子から射出され、被写体に照射された回折光の反射光を撮像して画像データを生成する撮像部と、画像データに基づいて、被写体までの距離を算出する距離算出部とを備える。
【０００９】
本開示の一実施の形態に係る光学回折素子は、基板と、基板の一方の面に形成され、光が入射する所定パターンの開口を有し、入射した光に基づいて回折光を生成する回折格子部と、一方の面に対向する基板の他方の面における、光の入射方向から見て開口に対応する領域の少なくとも一部の領域に形成され、回折格子部で発生した０次光を低減する０次光補正部とを含む。
【００１０】
本開示の一実施の形態に係る光源システム、測距システム、または光学回折素子では、回折格子部によって回折光が生成される。０次光補正部によって、回折格子部で発生した０次光が低減する。
本開示の一実施の形態に係る光学回折素子製造方法では、０次光を低減可能な光学回折素子が製造される。
【図面の簡単な説明】
【００１１】
【図１】第１の比較例に係る光源システムおよび測距システムの一構成例を概略的に示す構成図である。
【図２】第１の比較例に係る測距システムにおいて測定される光強度の一例を概略的に示す説明図である。
【図３】第２の比較例に係る光源システムおよび測距システムの一構成例を概略的に示す構成図である。
【図４】本開示の第１の実施の形態に係る光源システムおよび測距システムの一構成例を概略的に示す構成図である。
【図５】第１の実施の形態に係る光学回折素子の一構成例を概略的に示す断面図および平面図である。
【図６】第１の実施の形態に係る光学回折素子の製造方法の一例を示す工程図である。
【図７】第１の実施の形態の第１の変形例に係る光学回折素子の一構成例を概略的に示す断面図および平面図である。
【図８】第１の実施の形態の第２の変形例に係る光学回折素子の一構成例を概略的に示す断面図および平面図である。
【図９】第２の実施の形態に係る光源システムおよび測距システムの一構成例を概略的に示す構成図である。
【発明を実施するための形態】
【００１２】
以下、本開示の実施の形態について図面を参照して詳細に説明する。なお、説明は以下の順序で行う。
１．第１の実施の形態
１．０  比較例（図１〜図３）
１．１  第１の実施の形態に係る光源システムおよび測距システムの構成および動作（図４〜図５）
１．２  第１の実施の形態に係る光学回折素子製造方法（図６）
１．３  第１の実施の形態に係る光学回折素子の変形例（図７〜図８）
１．４  効果
２．第２の実施の形態（図９）
３．その他の実施の形態
【００１３】
＜１．第１の実施の形態＞
本開示の技術は、例えば、ＣＣＤ（Charged Coupled Devices）センサ、ＣＭＯＳ（Complementary Metal Oxide Semiconductor）イメージセンサなどのＣＳＰ（Chip Size Package）固体撮像素子と、被写体の距離を測るための回折光を照射する光源システムとを備える測距システムに関する。本開示の光源システムおよび測距システムは、例えば、デジタルビデオカメラおよびデジタルスチルカメラなどのデジタルカメラや、監視カメラ、車載カメラなどの画像入力カメラ、スキャナ装置、ファクシミリ装置、テレビジョン電話装置、およびカメラ付き移動体端末装置などの電子情報機器に適用可能である。また、本開示の光源システムおよび測距システムは、生体認証装置や検査装置に適用可能である。
【００１４】
［１．０  比較例］
特許文献２（特開２０１５−１１５５２７号公報）、および特許文献３（特開２０１５−１３２５４６号公報）には、一般的な測距を行うための実施例が開示されているが、前述の０次光成分による光の強度の問題を解決する技術は記載されていない。特許文献１（特開２０１３−１９０３９４号公報）に記載の技術では、固体撮像装置を２台有し、０次光成分による光の強度の回避は可能であるが、固体撮像装置を２つ有することにより高価になるという問題がある。また、特許文献１に記載の技術では、ランダムパターンの光を照射するために、反射光を２台の固体撮像装置で撮像後、画像データから距離を測定するには解析に時間がかかり、生体認証に必要な即時性が失われる問題がある。
【００１５】
特許文献１には、計測対象物に照射されるパターン光に回折光学素子で生ずる０次光が含まれなくなるようにパターン照明装置を配置することで、０次光による測距の性能低下を回避する技術が記載されている。しかしながら、特許文献１に記載の技術では、測距のためにランダムパターンを撮像する２つのカメラ（ステレオカメラ）が必要となり、高価であることが問題であった。また、特許文献１の図８で説明されているように、ランダムパターンであっても、０次光が発生し、それを回避するために０次光の位置をステレオカメラのカメラ間の距離を変えることで対策している。
【００１６】
特許文献２に記載の技術は、１つのカメラでカラー信号の取得と測距とを実現する固体撮像装置の一例であるが、０次光による測距の性能低下を回避する手段は記載されていない。このため、回折光学素子による０次光による測距の性能低下は避けられない。
【００１７】
特許文献３に記載の技術は、回折光学素子からの出射光を、非点収差レンズによって異なる２方向の光に変化させて、測距の精度を上げようとするものであり、回折光学素子とともに非点収差レンズが必要であることで、高価になる。また、特許文献３にも、０次光の対策は記載されていない。
【００１８】
図１は、第１の比較例に係る光源システムおよび測距システムの一構成例を概略的に示している。図２は、第１の比較例に係る測距システムにおいて測定される光強度の一例を概略的に示している。
【００１９】
第１の比較例に係る測距システムは、光源１と光学回折素子２００とを含む光源システムと、撮像カメラ３とを備えている。
【００２０】
光源１は、例えば赤外光を含むコリメート光を光学回折素子２００に照射する。光学回折素子２００には、回折光Ｌｄを生成する所定のパターンが形成されている。光学回折素子２００は、光源１から射出された光から回折光Ｌｄを生成する。光学回折素子２から射出された回折光Ｌｄは、被写体１０に照射される。被写体１０に照射された反射光を撮像カメラ３で撮像する。撮像カメラ３は例えば固体撮像装置を有している。撮像カメラ３は回折光Ｌｄの撮像データを保存、解析する。撮像カメラ３内で回折光Ｌｄを解析することで、被写体１０までの距離や被写体１０の凹凸などを測定することが一般的である。
【００２１】
しかしながら、光学回折素子２００からは回折光Ｌｄだけでなく、光学回折素子２００によって回折されない光（０次光Ｌ０）も射出され、被写体１０に照射される。このため、撮像カメラ３によって得られる撮像イメージには、図２に模式的に示す通り、回折光Ｌｄと０次光Ｌ０とが含まれている。一般に、０次光Ｌ０の光強度は回折光Ｌｄの光強度に比べて大きい。このため、例えば、撮像カメラ３において、電子シャッタ、メカニカルシャッタ、または絞りなどによって、０次光Ｌ０以外の回折光Ｌｄが最適に撮像データとなるように露出調整された場合、図２に模式的に示す通り、０次光Ｌ０の光強度が強く、飽和してしまう問題があった。
【００２２】
図１の第１の比較例に係る測距システムにおける測距の解析手法としては、図２に示したように、被写体１０に照射された回折光Ｌｄの反射光の円の重心を求めることにより、被写体１０までの距離を算出する方法がある。その際、距離の算出時には０次光Ｌ０の反射光成分を使わないようにする手法がとられている。ただし、０次光Ｌ０を使わないと測距の分解能が悪くなるのは明らかである。また、撮像カメラ３において、電子シャッタ、メカニカルシャッタ、または絞りなどで、０次光Ｌ０が最適に撮像データとなるように露出調整された場合は、０次光Ｌ０以外の回折光Ｌｄの強度が小さくなり、距離の算出が難しくなることは明らかである。
【００２３】
図３は、第２の比較例に係る光源システムおよび測距システムの一例を概略的に示している。
【００２４】
第２の比較例に係る光源システムは、図１の第２の比較例に係る測距システムに対して、０次光対策のために０次光補正素子５を備えている。０次光補正素子５は、光学回折素子２００とは別体として設けられている。０次光補正素子５は、光学回折素子２００からの０次光Ｌ０を低減するために、光学回折素子２００の０次光Ｌ０を低減するパターン（光学回折素子２００に形成された所定のパターンとは逆のパターン）を有している。しかしながら、この手法では光学回折素子２００と０次光補正素子５とが別体として設けられているため、互いに形成されたパターン同士の位置合わせが困難であり、歩留りが低くなってしまう問題がある。
【００２５】
［１．１  第１の実施の形態に係る光源システムおよび測距システムの構成および動作］
図４は、本開示の第１の実施の形態に係る光源システムおよび測距システムの一構成例を概略的に示している。図５は、第１の実施の形態に係る光学回折素子２の断面構成例および平面構成例を概略的に示している。なお、以下では、上記比較例に係る光源システムおよび測距システムの構成要素と略同じ部分については、同一符号を付し、適宜説明を省略する。
【００２６】
第１の実施の形態に係る測距システムは、図４に示したように、光源１と光学回折素子２とを含む光源システムと、撮像カメラ３と、距離算出部３１と、形状認識部３２と、生体認証部３３とを備えている。
【００２７】
撮像カメラ３は、光学回折素子２から射出され、被写体１０に照射された回折光Ｌｄの反射光を撮像して画像データを生成する。距離算出部３１は、画像データに基づいて、被写体１０までの距離を算出する。形状認識部３２は、距離算出部３１によって算出された距離データに基づいて、被写体１０の顔などの凹凸を判別し、被写体１０の形状認識を行う。生体認証部３３は、形状認識部３２による認識結果に基づいて、顔認証等の生体認証を行う。
【００２８】
光学回折素子２は、図５に示したように、ガラス基板２０と、回折格子部６と、０次光補正部２４とを含む。ガラス基板２０は、回折格子部６と０次光補正部２４との間に配置されている。
【００２９】
回折格子部６は、ガラス基板２０の一方の面２１に形成されている。回折格子部６は、光源１からの光が入射する所定パターンの開口と、光を遮光する遮光部材としての遮光部２５とを有し、入射した光に基づいて回折光Ｌｄを生成する。図５の例では、所定パターンは円孔状であり、回折格子部６は、開口として円形孔２３を有している。
【００３０】
０次光補正部２４は、一方の面２１に対向するガラス基板２０の他方の面２２に形成されている。０次光補正部２４は、後述する図６に示すように、例えばＵＶ硬化樹脂４１によって形成されている。０次光補正部２４は、回折格子部６で発生した０次光Ｌ０を低減するために、ＮＤ（Neutral Density）パターンまたは黒パターンで形成されている。これにより、光学回折素子２は、比較例における光学回折素子２００（図１）と比べて、０次光Ｌ０を調整する機能を有している。０次光補正部２４は、光源１からの光の入射方向から見て回折格子部６の開口（円形孔２３）に対応する領域の少なくとも一部の領域に形成されている。０次光補正部２４の大きさは、０次光Ｌ０を低減するために、回折格子部６の開口と略同じか回折格子部６の開口よりも大きいことが好ましい。また、０次光補正部２４の形状も、０次光Ｌ０を低減するために、回折格子部６の開口と略同じであることが好ましい。ただし、０次光補正部２４の大きさが回折格子部６の開口よりも小さくても、０次光Ｌ０を低減する効果は得られる。このため、０次光補正部２４の大きさは、回折格子部６の開口よりも小さくともよい。また、０次光補正部２４の形状が、回折格子部６の開口と多少異なっていても０次光Ｌ０を低減する効果は得られる。このため、０次光補正部２４の形状は、回折格子部６の開口とは多少異なっていてもよい。
【００３１】
図５においてＴＯＰＶＩＥＷは光源１側の面、ＢｏｔｔｏｍＶｉｅｗは被写体１０側の面を示す。光学回折素子２には、光源１からの、例えば赤外光を含むコリメート光がＴＯＰＶｉｅｗから入射する。光学回折素子２は、回折格子部６によって生成された回折光ＬｄをＢｏｔｔｏｍＶｉｅｗ側から被写体１０に射出する。光学回折素子２が図５の構成の場合、回折格子部６が開口として円形孔２３を有しているため、被写体１０には、円形状の回折光Ｌｄが照射される。一方、回折格子部６において生じた０次光Ｌ０は、ＮＤパターンまたは黒パターンからなる０次光補正部２４によって、光強度が低減するように調整される。
【００３２】
［１．２  第１の実施の形態に係る光学回折素子製造方法］
図６は、光学回折素子２の製造方法の一例を示している。
【００３３】
まず、図６の（Ａ）に示したように、ガラス基板２０の一方の面２１に、例えば黒色の遮光部材を所定のパターンで塗布することによって形成する。これにより、ガラス基板２０の一方の面２１に、回折格子部６となる遮光部２５と開口（円形孔２３）とを形成する。
【００３４】
次に、ガラス基板２０の他方の面２２に０次光補正部２４を形成するが、０次光補正部２４のパターンは、一方の面２１に形成された開口に対向する位置に正確に形成することが好ましい。そこで、次に、図６の（Ｂ）に示したように、ガラス基板２０における一方の面２１に対向する他方の面２２に、液体のＵＶ硬化樹脂４１を接触させる。液体のＵＶ硬化樹脂４１は、ＮＤまたは黒色となるように着色されている。
【００３５】
次に、図６の（Ｃ）に示したように、ガラス基板２０に、一方の面２１側からＵＶ光を照射することによって、他方の面２２に接触させた液体のＵＶ硬化樹脂４１を硬化させる。ＵＶ硬化樹脂４１は、一方の面２１に形成された開口を透過したＵＶ光（回折格子部６で発生する０次光Ｌ０に相当する）によって硬化する。これにより、他方の面２２において、一方の面２１に形成された開口に対応する領域に、ＮＤパターンまたは黒パターンの０次光補正部２４が形成される。この際、他方の面２２において、一方の面２１に形成された開口に対応する領域以外の領域に、ＵＶ硬化樹脂４１が半固着されて残る可能性がある。
【００３６】
そこで、最後に、図６の（Ｄ），（Ｅ）に示したように、ガラス基板２０における他方の面２２を液体のＵＶ硬化樹脂４１から離し、他方の面２２を洗浄する。これにより、半固着されて残ったＵＶ硬化樹脂４１は除去される。
【００３７】
（光学回折素子製造方法の変形例）
以上で説明した製造方法において、０次光補正部２４を形成する際に、ＵＶ硬化樹脂４１に代えて、熱硬化樹脂とのハイブリッド硬化樹脂を用いてもよい。
【００３８】
また、以上で説明した製造方法において、ＵＶ硬化樹脂４１で仮固定した後、洗浄し、熱硬化樹脂を用いて本固定をすることによって、０次光補正部２４を形成してもよい。また、ＵＶ硬化樹脂４１で仮固定した後、熱硬化樹脂を用いて本固定をし、その後、洗浄を行うことによって、０次光補正部２４を形成してもよい。
【００３９】
［１．３  第１の実施の形態に係る光学回折素子の変形例］
図７は、第１の実施の形態の第１の変形例に係る光学回折素子２Ａの断面構成例および平面構成例を概略的に示している。図８は、第１の実施の形態の第２の変形例に係る光学回折素子２Ｂの断面構成例および平面構成例を概略的に示している。
【００４０】
図５には、回折格子部６が所定パターンの開口として円形孔２３を有する構成例を示したが、この所定パターンは、円孔状のパターンに限らず、例えば、線状のパターン、またはランダム状のパターンであってもよい。
【００４１】
例えば、図７に示した第１の変形例に係る光学回折素子２Ａのように、一方の面２１に形成された回折格子部６Ａが、所定パターンの開口として線孔２３Ａを有する構成であってもよい。この場合、他方の面２２には線孔２３Ａに対応する線状のパターンからなる０次光補正部２４Ａを形成する。
【００４２】
また例えば、図８に示した第２の変形例に係る光学回折素子２Ｂのように、一方の面２１に形成された回折格子部６Ａが、所定パターンの開口としてランダム孔２３Ｂを有する構成であってもよい。この場合、他方の面２２にはランダム孔２３Ｂに対応するランダムパターンの０次光補正部２４Ｂを形成する。
【００４３】
［１．４  効果］
以上説明したように、第１の実施の形態に係る光源システムおよび測距システムによれば、０次光補正部を有する光学回折素子を備えるようにしたので、回折格子部で発生した０次光Ｌ０の強度を低減することが可能となる。これにより、０次光Ｌ０の強度を有効に調整することによって、高精度の測距が可能となる。これにより、例えば、高精度の生体認証を行うことが可能となる。
【００４４】
なお、本明細書に記載された効果はあくまでも例示であって限定されるものではなく、また他の効果があってもよい。以降の他の実施の形態の効果についても同様である。
【００４５】
＜２．第２の実施の形態＞
次に、本開示の第２の実施の形態に係る光源システム、および測距システムについて説明する。なお、以下では、上記第１の実施の形態に係る光源システム、および測距システムの構成要素と略同じ部分については、同一符号を付し、適宜説明を省略する。
【００４６】
図９は、第２の実施の形態に係る光源システムおよび測距システムの一構成例を概略的に示している。
【００４７】
第２の実施の形態に係る光源システムおよび測距システムは、第１の実施の形態に係る光源システムおよび測距システムに対して、補正レンズ４をさらに備えた構成とされている。補正レンズ４は、光源１と光学回折素子２との間に配置され、光源１からの光を平行光となるように補正する。
【００４８】
一般的に測距および生体認証を行う際には、赤外光を用いる。光学回折素子２には、コリメート光とされた赤外光を照射することが好ましい。光源１から精度の良いコリメート光を射出するためには、光源１と光学回折素子２との間に、ある程度の距離が必要となることが一般的に知られている。光源１と光学回折素子２との間に補正レンズ４を配置することによって、光源１と光学回折素子２との間の距離を小さくすることができる。
【００４９】
その他の構成、動作および効果は、上記第１の実施の形態に係る光源システムおよび測距システムと略同様であってもよい。
【００５０】
＜３．その他の実施の形態＞
本開示による技術は、上記各実施の形態の説明に限定されず種々の変形実施が可能である。
【００５１】
上記各実施の形態では、距離算出部３１によって算出された距離データを生体認証に用いる場合を例に説明したが、生体認証以外の用途に距離データを用いてもよい。
【００５２】
また、例えば、本技術は以下のような構成を取ることもできる。
以下の構成の本技術によれば、０次光の強度を低減することが可能となる。また、０次光の強度を低減させる光学回折素子を製造することが可能となる。
【００５３】
（１）
光を発する光源と、
一方の面に形成され、前記光源からの光が入射する所定パターンの開口を有し、入射した光に基づいて回折光を生成する回折格子部と、前記一方の面に対向する他方の面における、前記光源からの光の入射方向から見て前記開口に対応する領域の少なくとも一部の領域に形成され、前記回折格子部で発生した０次光を低減する０次光補正部とを含む光学回折素子と
を備える
光源システム。
（２）
前記光源と前記光学回折素子との間に配置され、前記光源からの光を平行光となるように補正する補正レンズ、
をさらに備えた
上記（１）に記載の光源システム。
（３）
前記０次光補正部は、ＵＶ硬化樹脂によって形成されている
上記（１）または（２）に記載の光源システム。
（４）
前記所定パターンは、円孔状、線状、およびランダム状のうち、いずれか１つである
上記（１）ないし（３）のいずれか１つに記載の光源システム。
（５）
前記ＵＶ硬化樹脂は、前記回折格子部を通過したＵＶ光が照射されることにより硬化されている
上記（３）に記載の光源システム。
（６）
前記光学回折素子は、前記回折格子部と前記０次光補正部との間に配置された基板を含む
上記（１）ないし（５）のいずれか１つに記載の光源システム。
（７）
基板の一方の面に、遮光部材を所定のパターンで形成する工程と、
前記基板における前記一方の面に対向する他方の面に、液体のＵＶ硬化樹脂を接触させる工程と、
前記基板に、前記一方の面側からＵＶ光を照射する工程と、
前記基板における前記他方の面を洗浄する工程と
を含む
光学回折素子製造方法。
（８）
前記ＵＶ光を照射する工程は、
前記他方の面に接触させた前記液体のＵＶ硬化樹脂を硬化させる工程、を含む
上記（７）に記載の光学回折素子製造方法。
（９）
光を発する光源と、
一方の面に形成され、前記光源からの光が入射する所定パターンの開口を有し、入射した光に基づいて回折光を生成する回折格子部と、前記一方の面に対向する他方の面における、前記光源からの光の入射方向から見て前記開口に対応する領域の少なくとも一部の領域に形成され、前記回折格子部で発生した０次光を低減する０次光補正部とを含む光学回折素子と、
前記光学回折素子から射出され、被写体に照射された前記回折光の反射光を撮像して画像データを生成する撮像部と、
前記画像データに基づいて、前記被写体までの距離を算出する距離算出部と
を備える
測距システム。
（１０）
基板と、
前記基板の一方の面に形成され、光が入射する所定パターンの開口を有し、入射した光に基づいて回折光を生成する回折格子部と、
前記一方の面に対向する前記基板の他方の面における、光の入射方向から見て前記開口に対応する領域の少なくとも一部の領域に形成され、前記回折格子部で発生した０次光を低減する０次光補正部と
を含む
光学回折素子。
【符号の説明】
【００５４】
１…光源、２，２Ａ，２Ｂ…光学回折素子、３…撮像カメラ、４…補正レンズ、５…０次光補正素子、６，６Ａ，６Ｂ…回折格子部、１０…被写体、２０…ガラス基板、２１…一方の面、２２…他方の面、２３…円形孔（開口）、２３Ａ…線孔（開口）、２３Ｂ…ランダム孔（開口）、２４…０次光補正部（円形パターン）、２４Ａ…０次光補正部（線状パターン）、２４Ｂ…０次光補正部（ランダムパターン）、２５…遮光部（遮光部材）、３１…距離算出部、３２…形状認識部、３３…生体認証部、４１…ＵＶ硬化樹脂、２００…光学回折素子（比較例）、Ｌ０…０次光、Ｌｄ…回折光。
【図１】
2019164325.tif 000003
【図２】
2019164325.tif 000004
【図３】
2019164325.tif 000005
【図４】
2019164325.tif 000006
【図５】
2019164325.tif 000007
【図６】
2019164325.tif 000008
【図７】
2019164325.tif 000009
【図８】
2019164325.tif 000010
【図９】
2019164325.tif 000011